(57)【要約】【課題】簡単な構成で十分に足先を暖める。【解決手段】コタツ１を、脚部３によって床面ＦＬから所定高さで横設された天板２と、天板２の下面に設けられたヒータ部５とを備えるように構成する。天板２を、長方形状の木製化粧板から形成し、脚部３を、天板２を床面ＦＬから所定高さＨ１で横設するように、天板２の下面の４隅に、各１本ずつ設ける。また、ヒータ部５を、支持部４を介して、天板２の下面中央に設けるとともに、天板２の下面から所定間隔Ｈ２を隔てて支持する。天板直下の床面ＦＬ上には、４本の脚部３で囲まれた部分に含まれる面積より内側に納まるように形成した中敷き６を敷設する。【選択図】図１
2005265254.tif 000002
【特許請求の範囲】
【請求項１】
脚部によって床面から所定の高さで横設された天板と、天板の下側に設けられたヒータ部と、を備えてなるコタツであって、
ヒータ部が、支持部を介して、天板の下面から所定の間隔を隔てて支持されたものである、
ことを特徴とする高脚コタツ。
【請求項２】
ヒータ部が、天板の下面から４０ｍｍ〜２００ｍｍの間隔を隔てて支持されたものである、
請求項１に記載の高脚コタツ。
【請求項３】
少なくとも天板直下の床面上に敷設される中敷きを有してなる、
請求項１または請求項２に記載の高脚コタツ。
【請求項４】
中敷きが、赤外線吸収蓄熱保温素材を含んでなる、
請求項３に記載の高脚コタツ。
【発明の詳細な説明】
【技術分野】
【０００１】
本発明は、椅子使用型の高脚コタツに関する。
【背景技術】
【０００２】
近年、フローリング床のダイニングキッチン等で使用されるテーブルには、足下の暖を採るため、天板の下面にヒータ部が直付けされてなる椅子使用型のコタツ、いわゆる高脚コタツが広く使用されるようになってきている。例えば、特許文献１のコタツは、床上に起立させることができる支脚に上下方向へスライド自在な可動部を設けるとともに、その可動部を上下動させる昇降装置を支脚の内部に備えて、その可動部の上端に天板を昇降自在に取り付けてなるものである。このコタツによれば、可動部及び昇降装置によって、椅子座面の高さに合わせて、天板を適正な高さに調整して配置可能である。
【０００３】
【特許文献１】特開２００２−３６４８５１号公報
【発明の開示】
【発明が解決しようとする課題】
【０００４】
しかし、このコタツは、床面に対する天板の高さは調整が可能であるが、天板に対するヒータ部の配置位置は一定である。従って、天板を適正な高さに調整して配置したとしても、床面とヒータ部との間隔が離れすぎてしまい、足下、特に足先が十分に暖まらないことが多い点で問題があった。
そこで、本発明は上記課題に鑑み、脚部によって天板を適正な高さに配置した状態において、簡単な構成でより十分に足先を暖めることができる高脚コタツの提供を課題とする。
【課題を解決するための手段】
【０００５】
上記課題を解決するため、請求項１の発明に係る高脚コタツは、脚部によって床面から所定の高さで横設された天板と、天板の下側に設けられたヒータ部と、を備えてなるコタツであって、ヒータ部が、支持部を介して、天板の下面から所定の間隔を隔てて支持されたものであることを特徴とする。ここで、高脚コタツとは、例えばフローリング床のダイニングキッチン等で使用されるものであり、足下の暖を採るため、天板の下側にヒータ部が設けられた椅子使用型のコタツをいう。
【０００６】
請求項２の発明に係る高脚コタツは、ヒータ部が、天板の下面から４０ｍｍ〜２００ｍｍの間隔を隔てて支持されたものであることを特徴とする。
【０００７】
請求項３の発明に係る高脚コタツは、少なくとも天板直下の床面上に敷設される中敷きを有してなることを特徴とする。
【０００８】
請求項４の発明に係る高脚コタツは、中敷きが、赤外線吸収蓄熱保温素材を含んでなることを特徴とする。
【発明の効果】
【０００９】
請求項１の発明によれば、天板を適正な高さに配置した状態において、簡単な構成で、十分に足下、特に足先を暖めることができる。
【００１０】
請求項２の発明によれば、ヒータ部を、天板の下面から４０ｍｍ〜２００ｍｍの間隔を隔てて支持したので、椅子の座者が足を前方に延ばした場合であっても、足をヒータ部に接触し難くでき、使用感を向上できる。
【００１１】
請求項３の発明によれば、少なくとも天板直下の床面を含むように中敷きを敷設したので、より十分に足下、特に足先を暖めることができる。
【００１２】
請求項４の発明によれば、中敷きを、赤外線吸収蓄熱保温素材を織り込んで形成したので、例えば赤外線を放射する発熱体を用いれば、赤外線を床面で吸収させて熱に変換蓄熱でき、使用しているコタツ以外に熱源を追加することなく、より十分かつより効果的に足下を暖めることができる。
【発明を実施するための最良の形態】
【００１３】
以下、本発明を具体化した実施の形態を、図面に基づいて詳細に説明する。
図１は、本発明に係る高脚コタツ（以下単に「コタツ」とする）の一実施形態を示し、（ａ）は側面図、（ｂ）は（ａ）のＡ−Ａ線断面図である。本コタツ１は、脚部３によって床面ＦＬから所定高さで横設された天板２と、天板２の下面に設けられたヒータ部５とを備えて構成されている。
【００１４】
天板２は、長方形状の木製化粧板から形成されている。脚部３は、その天板２を床面ＦＬから所定高さＨ１で横設するように、天板２の下面の４隅に、各１本ずつ設けられている。また、ヒータ部５は、支持部４を介して、天板２の下面中央に設けられるとともに、天板２の下面から所定間隔Ｈ２を隔てて支持されている。ここで、ヒータ部５は、ヒータ部５の上面から下方へ所定間隔Ｈ３を隔てて設けられた発熱体５１と、同様に所定間隔Ｈ４を隔てた下面を有するとともに発熱体５１を囲む防護カバー５２とを備えて構成されている。支持部４は、天板２の下面とヒータ部５の上面との間を間隔Ｈ２を隔てて配置するように支持する支持棒からなるものである。
【００１５】
本コタツ１において、天板２は、幅８７０ｍｍ×長さ１４７５ｍｍで形成されるとともに、４本の脚部３によって、高さＨ１が５７５ｍｍの位置に天板２の下面が一致するように横設されている。本コタツ１に使用する椅子１０としては、床面ＦＬから高さ４００ｍｍの位置にその座面が配置されるものが最適である。
【００１６】
また本コタツ１において、ヒータ部５は、発熱体５１の間隔Ｈ３が４８ｍｍ及び防護カバー５２の間隔Ｈ４が８５ｍｍで形成され、天板２からの間隔Ｈ２が４２ｍｍで配置される形態が最も好ましいものである。但し、このヒータ部５は、任意の椅子の高さに合わせて、支持部４を介して、間隔Ｈ２が４０ｍｍ〜２００ｍｍを隔てて支持されるように構成しても良い。
【００１７】
さらに、床面ＦＬ上の４本の脚部３で囲まれた部分には、その面積より内側に納まるように形成された中敷き６が敷設されている。この中敷き６は、赤外線を吸収して熱に変換し蓄熱するポリエステル素材やアクリル素材等、いわゆる赤外線吸収蓄熱保温素材を織り込んで形成されている。
【００１８】
従って、このコタツ１によれば、天板２を適正な高さＨ１に配置した状態において、ヒータ部５を天板２の下面から間隔Ｈ２を隔てて天板２の下面に設けたので、間隔Ｈ２分だけヒータ部５と床面ＦＬとの距離を近づけることができ、より十分に足下、特に足先を暖めることが可能となる。またヒータ部５を、天板２の下面から４０ｍｍ〜２００ｍｍの間隔Ｈ２を隔てて支持すれば、例えば標準体型の使用者が座る椅子１０の高さに合わせて最も適切な位置にヒータ部５を配置でき、椅子１０の使用者が足を前方に延ばした場合であっても、その足とヒータ部５とを接触し難くして接触による不快感を取り除くことが可能となり、コタツ１の使用感を向上できる。また、支持部４を設けたので、天板２の下面とヒータ部５の上面との間に設置する断熱材が不要となり、断熱材の設置工程等を省いて製造コストを低減可能となる。
【００１９】
また、天板直下の床面ＦＬ上に中敷き６を敷設したので、より十分に足下、特に足先を暖めることができる。さらに中敷き６を、赤外線吸収蓄熱保温素材を織り込んで形成したので、コタツ１のヒータ部５から放射される赤外線を床面で吸収させて熱に変換蓄熱でき、使用しているコタツ１以外に熱源を追加することなく、より十分かつより効果的に足下を暖めることができる。
【００２０】
尚、本発明は上記実施形態に限定されるものではなく、以下に例示するように、本発明の趣旨を逸脱しない範囲で各部の形状並びに構成を適宜に変更して実施することも可能である。
（１）支持部４は、支持棒を複数本用いて構成するに限らず、１つの箱体によって構成しても良い。
（２）脚部３は、４本に限らず、３本又は５本等の他の本数で天板２を横設しても良い。
（３）天板２は、長方形状に限らず、円形、楕円形、卵形、正方形に形成しても良い。
（４）ヒータ部５は、赤外線を放射するものであれば石英管ヒータに限らず、ハロゲンヒータやシーズーヒータ等を用いて構成しても良い。
（５）ヒータ部５は、コタツ１と組み合わせて中敷き６を敷設しない場合には、赤外線を放射しないヒータを用いて構成しても良い。
（６）中敷き６は、天板直下の床面上のみに限らず、外側周辺まで含めた床面上に敷設しても良い。
（７）コタツ１は、コタツ布団等を掛けられるように構成しても良い。この場合、例えば、天板２は、脚部３によって所定高さに横設される枠材と、枠材を覆うコタツ布団の上側に配置される化粧板とから構成される。
【図面の簡単な説明】
【００２１】
【図１】本発明に係る高脚コタツの一実施形態を示す、（ａ）は側面図、（ｂ）は（ａ）のＡ−Ａ線断面図である。
【符号の説明】
【００２２】
１・・コタツ（高脚コタツ）、２・・天板、３・・脚部、４・・支持部、５・・ヒータ部、６・・中敷き、１０・・椅子、５１・・発熱体、５２・・防護カバー、ＦＬ・・床面。
【図１】
2005265254.tif 000003